(57)【要約】【課題】マスクと口との空間を広げられる軽量のマスク補助具を提供する。【解決手段】マスク補助具２は、マスク１の縁に留められる係止部３ａ，３ｂと、係止部３ａ，３ｂに連結部４ａ，４ｂを介して連結され、マスク１の裏側に配置されてマスク１を膨らませる本体部７と、を備える。本体部７は、係止部３ａ，３ｂとは反対側に向かって互いの間隔が狭まり、互いに一体に形成される一対の第一骨部６ａ，６ｂを有する。【選択図】図２
2022003184.tif 000002
【特許請求の範囲】
【請求項１】
マスクの縁に留められる係止部と、
前記係止部に連結部を介して連結され、マスクの裏側に配置されてマスクを膨らませる本体部と、を備え、
前記本体部は、前記係止部とは反対側に向かって互いの間隔が狭まり、互いに一体に形成される一対の第一骨部を有するマスク補助具。
【請求項２】
前記本体部は、前記連結部に接続され、前記係止部とは反対側に向かって互いの間隔が広がる一対の第二骨部と、前記一対の第二骨部に接続される前記一対の第一骨部と、を備えることを特徴とする請求項１に記載のマスク補助具。
【請求項３】
前記一対の係止部と前記一対の連結部がマスク装着時に鼻と両頬との間に配置されることを特徴とする請求項１又は２に記載のマスク補助具。
【請求項４】
前記一対の係止部又は前記一対の連結部が連結バーで連結されることを特徴とする請求項３に記載のマスク補助具。
【請求項５】
前記一対の連結部の間隔が前記一対の係止部とは反対側に向かって狭まることを特徴とする請求項４に記載のマスク補助具。
【請求項６】
前記本体部の下端部が円弧状に形成されることを特徴とする請求項１ないし５のいずれか一項に記載のマスク補助具。
【請求項７】
マスクの縁に留められる係止部と、
マスクの裏側に配置されてマスクを膨らませる本体部と、を備え、
前記係止部は、マスクの表側に配置される係止部本体と、前記係止部本体の下端部にマスク側に折り返すように形成される折り返し部と、を備えるマスク補助具。
【請求項８】
前記折り返し部の先端に複数の突部が形成されることを特徴とする請求項７に記載のマスク補助具。
【発明の詳細な説明】
【技術分野】
【０００１】
本発明は、マスクに取り付けられて、マスク装着時にマスクと口との空間を広げるためのマスク補助具に関する。
【背景技術】
【０００２】
ウィルス、花粉、病菌等の侵入を防ぐために鼻、口を覆うマスクが用いられる。最近では、コロナウィルスの感染予防のために夏場や運動中にもマスクが用いられる。マスクを装着すると、会話や呼吸等によりマスクが口に張り付き、マスクと口との空間が狭くなる。こうなると、息苦しくなったり、暑苦しくなったり、口紅やファンデーション等の化粧がマスクに着いたりする。息苦しさや暑苦しさ等を解消するため、マスクと口との間に空間を広げることが望まれる。
【０００３】
マスクと口との空間を広げるために、特許文献１には、マスクの内部に多数の通気孔を有するお椀状のマスクパッドを組み込むことが開示されている。このマスクパッドによれば、お椀状のマスクパッドの形状に合わせてマスクを膨らませることができるので、マスクと口との空間を広げることができる。
【先行技術文献】
【特許文献】
【０００４】
【特許文献１】実用新案登録第３１１７７４２号
【発明の概要】
【発明が解決しようとする課題】
【０００５】
しかし、特許文献１に記載のマスク補助具においては、お椀状に形成されるマスクパッドを必要とするので、マスク装着時にマスクパッドの重さが気になるという課題がある。
【０００６】
第１の発明は上記課題に鑑みてなされたものであり、マスクと口との空間を広げられる軽量のマスク補助具を提供することを第１の課題とする。
【０００７】
ところで、マスクの縁に取り付けられる係止部（クリップ部）を備えるマスク補助具も知られている。しかし、この種のマスク補助具には、マスクから係止部が外れ易いという課題がある。
【０００８】
第２の発明は上記課題に鑑みてなされたものであり、マスクから係止部が外れるのを防止できるマスク補助具を提供することを第２の課題とする。
【課題を解決するための手段】
【０００９】
上記第１の課題を解決するために、第１の発明は、マスクの縁に留められる係止部と、前記係止部に連結部を介して連結され、マスクの裏側に配置されてマスクを膨らませる本体部と、を備え、前記本体部は、前記係止部とは反対側に向かって互いの間隔が狭まり、互いに一体に形成される一対の第一骨部を有するマスク補助具である。
【００１０】
上記第２の課題を解決するために、第２の発明は、マスクの縁に留められる係止部と、マスクの裏側に配置されてマスクを膨らませる本体部と、を備え、前記係止部は、マスクの表側に配置される係止部本体と、前記係止部本体の下端部にマスク側に折り返すように形成される折り返し部と、を備えるマスク補助具である。
【発明の効果】
【００１１】
第１の発明によれば、一対の第一骨部によってマスクを効果的に膨らませることができ、マスクと口との間隔を広げることができる。一対の第一骨部の間は空間なので、呼吸もし易い。また、シンプルな構造なので、マスク補助具を軽量にすることができる。
【００１２】
第２の発明によれば、折り返し部がマスクに引っ掛かるので、マスクから係止部が外れるのを防止できる。
【図面の簡単な説明】
【００１３】
【図１】本発明の第１の実施形態のマスク補助具をマスクに取り付け、マスクを装着した状態を示す斜視図である。
【図２】本実施形態のマスク補助具の背面図である。
【図３】本実施形態のマスク補助具の斜視図である。
【図４】本実施形態のマスク補助具の側面図である。
【図５】本発明の第２の実施形態のマスク補助具の背面図である。
【図６】本発明の第３の実施形態のマスク補助具の背面図である。
【図７】本発明の第４の実施形態のマスク補助具の背面図である。
【図８】本発明の第５の実施形態のマスク補助具の背面図である。
【図９】本発明の第６の実施形態のマスク補助具の正面図である。
【図１０】本発明の第７の実施形態のマスク補助具の展開図（図１０（ａ）は正面図、図１０（ｂ）は図１０（ａ）のｂ部拡大図）である。
【図１１】本発明の第７の実施形態のマスク補助具を示す図（図１１（ａ）は正面図、図１１（ｂ）は側面図）である。
【図１２】本発明の第７の実施形態のマスク補助具の使用状態を示す側面図（一部マスクの断面図を含む）である。
【発明を実施するための形態】
【００１４】
以下、添付図面に基づいて、本発明の実施形態のマスク補助具を詳細に説明する。ただし、本発明のマスク補助具は種々の形態で具体化することができ、本明細書に記載される実施形態に限定されるものではない。本実施形態は、明細書の開示を十分にすることによって、当業者が発明を理解できるようにする意図をもって提供されるものである。
（第１の実施形態）
【００１５】
図１は、本発明の第１の実施形態のマスク補助具をマスク１に取り付け、マスク１を装着した状態を示す斜視図である。マスク補助具をマスク１に取り付けた後、マスク１のゴム紐１ｂを耳にかければマスク補助具を使用することができる。３ａ，３ｂはマスク１の表側から見えるマスク補助具の係止部（クリップ部）である。
【００１６】
なお、以下の説明においては、説明の便宜上、利用者から見た方向、すなわち図１の上下、左右、前後の方向を用いてマスク補助具の構成を説明する。
【００１７】
図２はマスク１の裏側に配置されるマスク補助具２の背面図であり、図３は表側から見たマスク補助具２の斜視図であり、図４はマスク補助具２の側面図である。これらの図には、遠近法を使用している。
【００１８】
本実施形態のマスク補助具２は、マスク１の裏側に配置されて、マスク１の裏側からマスク１を膨らませ、利用者の息苦しさや暑苦しさを解消する。また、マスク１をきれいに膨らませて、利用者の見栄えも向上させる。
【００１９】
図２に示すように、マスク１は、一般的なマスクと同様に、鼻や口を覆う略四角形のマスク本体１ａと、マスク本体１ａの左右両端に設けられるゴム紐１ｂと、を備える。マスク１の種類は特に限定されるものではなく、不織布製、ガーゼ製、布製、ウレタン製等のいずれでもよい。例えば不織布製のマスク１の場合、マスク１を膨らませられるようにマスク１には襞１ｃが形成されている。マスク補助具２は、この襞１ｃを充分に延ばしてマスク１を膨らませる。マスク１の構成は公知であるので、これ以上の詳しい説明を省略する。
【００２０】
図２、図３に示すように、マスク補助具２は、マスク１の上縁に止められる係止部としてのクリップ部３ａ，３ｂと、クリップ部３ａ，３ｂに連結部４ａ，４ｂを介して連結され、マスク１の裏側に配置されてマスク１を膨らませる本体部７と、を備える。クリップ部３ａ，３ｂは、マスク補助具２をマスク１に着脱可能にするのに用いられる。連結部４ａ，４ｂは、クリップ部３ａ，３ｂと本体部７を連結する。本体部７は、利用者の口の前方に配置されて、マスク１と口との空間を広げる。クリップ部３ａ，３ｂ、連結部４ａ，４ｂ、本体部７は一体に形成される。
【００２１】
クリップ部３ａ，３ｂ、連結部４ａ，４ｂ、本体部７は、いずれも細長い板状である。クリップ部３ａ，３ｂ、連結部４ａ，４ｂ、本体部７の材質は特に限定されるものではなく、金属、樹脂、紙等のいずれでもよい。例えば、金属板を打ち抜き加工し、その後曲げ加工することでクリップ部３ａ，３ｂ、連結部４ａ，４ｂ、本体部７を形成してもよいし、曲げ加工後にこれらにゴム等の樹脂を塗装してもよい。また、樹脂板や厚紙を打ち抜き加工し、その後熱を加えて曲げ加工することでクリップ部３ａ，３ｂ、連結部４ａ，４ｂ、本体部７を形成してもよい。さらに、樹脂を射出成形することで、これらを形成してもよい。
【００２２】
クリップ部３ａ，３ｂは、マスク１の上縁を挟むように構成されていて、連結部４ａ，４ｂの上端部を曲げることで形成される。クリップ部３ａ，３ｂと連結部４ａ，４ｂは、マスク装着時に鼻と両頬との間に配置される。マスク１の上縁部には、マスク１と鼻や両頬との隙間を埋めるための変形可能なバー１ｄ（ノーズフィット、ノーズフィッタ、ノーズワイヤ、アルミワイヤ等と呼ばれる。以下代表してノーズフィット１ｄという）が埋め込まれる場合がある。クリップ部３ａ，３ｂは、このノーズフィット１ｄを挟むのが望ましい。なお、係止部としてクリップ部３ａ，３ｂの替わりに磁石、接着等の固定手段を用いることも可能である。
【００２３】
連結部４ａ，４ｂはクリップ部３ａ，３ｂから下方に延びる。連結部４ａ，４ｂの下端には、本体部７が接続される。この実施形態の本体部７は、クリップ部３ａ，３ｂとは反対の方向、すなわち下方に向かって互いに間隔が広がる第二骨部５ａ，５ｂと、下方に向かって互いに間隔が狭まり、互いに一体に形成される第一骨部６ａ，６ｂと、から構成される。第二骨部５ａ，５ｂは互いに離れている。第一骨部６ａ，６ｂは、第二骨部５ａ，５ｂの下端に接続される。
【００２４】
図４に示すように、連結部４ａ，４ｂと本体部７は側面視で前方に向かって凸に、例えば円弧状に湾曲する。これにより、クリップ部３ａ，３ｂによってマスク補助具２をマスク１に取り付けた段階で、連結部４ａ，４ｂと本体部７がマスク１の裏面に沿うようになり、マスク１が膨らむ。また、マスク１の膨らみの邪魔をしないように、左右一対の連結部４ａ，４ｂ、左右一対の第二骨部５ａ，５ｂ、左右一対の第一骨部６ａ，６ｂそれぞれは互いに反対方向にハ字状に傾いている（図３参照）。
【００２５】
以上に本実施形態のマスク補助具２の構成を説明した。本実施形態のマスク補助具２によれば、以下の効果を奏する。
【００２６】
第一骨部６ａ，６ｂによってマスク１の下部中央部を効果的に膨らませることができ、マスク１と口との空間を広げることができる。第一骨部６ａ，６ｂの間は空間なので、呼吸もし易い。また、シンプルな構造なので、マスク補助具２を軽量にすることができる。
【００２７】
第二骨部５ａ，５ｂと第一骨部６ａ，６ｂによって略菱形状の本体部７が形成されるので、マスク１と口との空間を上下左右に確保することができる。略菱形状の本体部７の内部は空間なので、呼吸もし易い。
【００２８】
クリップ部３ａ，３ｂと連結部４ａ，４ｂがマスク装着時に鼻と両頬との間に配置されるので、これらが鼻に当たるのを防止できる。また、クリップ部３ａ，３ｂを利用してマスク１と鼻や両頬との間に形成される隙間を塞ぐことができる。
【００２９】
第二骨部５ａ，５ｂが互いに離れているので、第二骨部５ａ，５ｂが汗をかきやすい鼻に当たるのを防止できる。また、クリップ部３ａ，３ｂの位置を調整し易くなるので、利用者の鼻の大きさに合わせて、クリップ部３ａ，３ｂの位置を調整することができる。
【００３０】
本体部７と連結部４ａ，４ｂが側面視で前方に向かって凸に湾曲するので、マスク補助具２をマスク１に取り付けた段階でマスク１を膨らませることができる。
（第２の実施形態）
【００３１】
図５は、本発明の第２の実施形態のマスク補助具８の背面図である。第２の実施形態のマスク補助具８のクリップ部３ａ，３ｂ、連結部４ａ，４ｂ、本体部７の構成は、第１の実施形態と略同一であるので、同一の符号を附してその説明を省略する。
【００３２】
第２の実施形態では、クリップ部３ａ，３ｂが連結バー９によって連結される。連結バー９は、鼻の形に合わせて曲げられる。連結バー９は、マスク１の裏側の上縁部に配置されても、マスク１の表側の上縁部に配置されてもよい。
【００３３】
第２の実施形態のマスク補助具８によれば、第１の実施形態のマスク補助具２と略同様な効果を奏する他、クリップ部３ａ，３ｂを連結バー９によって連結するので、一方のクリップ部３ａ，３ｂがマスク１から外れようとしてもこれを防止することができ、クリップ部３ａ，３ｂがマスク１から外れるのを防止できる。
【００３４】
なお、連結バー９が鼻の下にくるように、連結部４ａ，４ｂの下部に配置してもよい。こうすると、クリップ部３ａ，３ｂがマスク１から外れようとしても、連結バー９が鼻に当たるので、これを防止できる。
（第３の実施形態）
【００３５】
図６は、本発明の第３の実施形態のマスク補助具１２を示す。図６は、図２と同様にマスク１の裏側に配置されるマスク補助具１２の背面図である。
【００３６】
第３の実施形態のマスク補助具１２のクリップ部３ａ，３ｂ、連結部４ａ，４ｂの構成は、第１の実施形態と略同一なので、同一の符号を附してその説明を省略する。
【００３７】
第３の実施形態のマスク補助具１２の本体部７は、第１の実施形態の本体部７と同様に、下方に向かって間隔が広がる第二骨部５ａ，５ｂと、下方に向かって間隔が狭まる第一骨部６ａ，６ｂと、から構成されて、略菱形状に形成される。また、連結部４ａ，４ｂと本体部７は側面視で前方に向かって凸に湾曲する。ただし、第１の実施形態では、第二骨部５ａ，５ｂが互いに離れているのに対し、第３の実施形態では、第二骨部５ａ，５ｂが互いに一体に形成される。
【００３８】
第３の実施形態のマスク補助具１２によれば、第１の実施形態のマスク補助具２と略同様な効果を奏する他、第二骨部５ａ，５ｂを互いに一体に形成するので、本体部７の強度を高めることができる。
【００３９】
なお、第３の実施形態のマスク補助具１２においても、第２の実施形態のマスク補助具８と同様に、クリップ部３ａ，３ｂを連結バーで連結してもよい。
（第４の実施形態）
【００４０】
図７は、本発明の第４の実施形態のマスク補助具１４の背面図である。第４の実施形態のマスク補助具１４のクリップ部３ａ，３ｂ、連結部４ａ，４ｂ、本体部７の第一骨部６ａ，６ｂの構成は、第３の実施形態と略同一であるので、同一の符号を附してその説明を省略する。
【００４１】
第４の実施形態では、略菱形状の本体部７の上側の頂点１５をマスク１側に折り曲げている。折り曲げた頂点１５は鼻の下の前方にある。
【００４２】
第４の実施形態のマスク補助具１４によれば、第３の実施形態のマスク補助具１２と略同様な効果を奏する他、略菱形状の本体部７の上側の頂点１５をマスク１側に折り曲げているので、マスク１と口や鼻との空間をより広げることができる。
【００４３】
なお、第４の実施形態のマスク補助具１４においても、第２の実施形態のマスク補助具８と同様に、クリップ部３ａ，３ｂを連結バーで連結してもよい。
（第５の実施形態）
【００４４】
図８は、本発明の第５の実施形態のマスク補助具２２を示す。図８は、図２と同様にマスク１の裏側に配置されるマスク補助具２２の背面図である。
【００４５】
第５の実施形態のマスク補助具２２のクリップ部３ａ，３ｂ、連結部４ａ，４ｂの構成は、第１の実施形態のマスク補助具２のクリップ部３ａ，３ｂ、連結部４ａ，４ｂと略同一なので、同一の符号を附してその説明を省略する。
【００４６】
第１の実施形態では、本体部７が第二骨部５ａ，５ｂと第一骨部６ａ，６ｂから構成されて略菱形状に形成されるのに対し、第５の実施形態では、本体部７が第一骨部６ａ，６ｂのみから構成されて略Ｖ字状に形成される。第１の実施形態と同様に、連結部４ａ，４ｂと本体部７は側面視で前方に向かって凸に湾曲する。
【００４７】
第５の実施形態のマスク補助具２２によれば、第１の実施形態のマスク補助具２と略同様な効果を奏する他、本体部７を軽量にすることができるという効果を奏する。
【００４８】
なお、第５の実施形態のマスク補助具２２においても、第２の実施形態のマスク補助具８と同様に、クリップ部３ａ，３ｂを連結バーで連結してもよい。
（第６の実施形態）
【００４９】
図９は、本発明の第６の実施形態のマスク補助具３２の正面図である。３ａ，３ｂはクリップ部、４は連結部、７は本体部である。
【００５０】
第６の実施形態のマスク補助具３２において、連結部４は、２つに分かれておらず、単一の部分から構成される。連結部４の中心には、上下方向に延びる折り目４ｃが形成される。連結部４を折り目４ｃで折り曲げれば鼻の形に合わせることができる。連結部４の下端には、鼻先に当たらないように切欠き４ｄが形成される。
【００５１】
本体部７は、第１の実施形態の本体部７と同様に、第二骨部５ａ，５ｂと第一骨部６ａ，６ｂから構成されて略菱形状に形成される。連結部４と本体部７は、平面状に形成されてもよいし、側面視で前方に向かって凸に湾曲するように形成されてもよい。
【００５２】
第６の実施形態のマスク補助具３２によれば、第１の実施形態のマスク補助具２と略同様な効果を奏する他、マスク補助具３２を低コストで製造できるという効果を奏する。
（第７の実施形態）
【００５３】
図１０ないし図１２は、本発明の第７の実施形態のマスク補助具４２を示す。この実施形態のマスク補助具４２は、ステンレス等の金属の薄板からなる。図１０は、曲げ加工前のマスク補助具４２の展開図を示し、図１１（ａ）は、曲げ加工後のマスク補助具４２の正面図（マスク１に取り付けた状態）を示す。１はマスク、１ｄはマスク１のノーズフィットである。
【００５４】
図１１（ａ）の正面図に示すように、マスク補助具４２は、マスク１の上縁に留められる係止部（クリップ部３ａ，３ｂ）と、マスク１の裏側に配置されてマスク１を膨らませる本体部７と、を備える。クリップ部３ａ，３ｂは、連結バー９で連結される。クリップ部３ａ，３ｂと本体部７とは、連結部４ａ，４ｂを介して連結される。
【００５５】
図１１（ａ）（ｂ）に示すように、クリップ部３ａ，３ｂは、マスク１の表側に配置される係止部本体（クリップ部本体３ａ１，３ｂ１）と、クリップ部本体３ａ１，３ｂ１の下端部からマスク１側に折り曲げられる折り返し部３ａ２，３ｂ２と、を備える。
【００５６】
図１０（ａ）に示すように、クリップ部本体３ａ１，３ｂ１は、連結部４ａ，４ｂとの境界４５を折り曲げることで形成される。折り返し部３ａ２，３ｂ２は、クリップ部本体３ａ１，３ｂ１との境界４６を折り曲げることで形成される。図１０（ｂ）に示すように、折り返し部３ａ２，３ｂ２の先端には、例えば円弧状の複数の突部４３が形成される。
【００５７】
図１０（ａ）に示すように、一対の連結部４ａ，４ｂは、その間隔が下方に向かって狭まる。曲げ加工する前の一対のクリップ部本体３ａ１，３ｂ１は、その間隔が上方に向かって狭まる。曲げ加工する前の一対の折り返し部３ａ２，３ｂ２は、その間隔が上方に向かって広がる。図１１（ａ）に示すように、曲げ加工後に、一対の連結部４ａ，４ｂ、一対のクリップ部本体３ａ１，３ｂ１、一対の折り返し部３ａ２，３ｂ２が重なる。
【００５８】
図１１（ｂ）に示すように、折り返し部３ａ２，３ｂ２は、先端が連結部４ａ，４ｂに接するように傾斜する。折り返し部３ａ２，３ｂ２の先端は、ノーズフィット１ｄよりも下に位置する。クリップ部本体３ａ１，３ｂ１と折り返し部３ａ２，３ｂ２との間には、中心角が１８０度より大きい円弧部４７が形成される。折り返し部３ａ２，３ｂ２を板ばねのように機能させるためである。
【００５９】
図１１（ａ）に示すように、本体部７は、略菱形状に形成される。本体部７は、下方に向かって互いに間隔が広がる一対の第二骨部５ａ，５ｂと、下方に向かって互いに間隔が狭まり、互いに一体に形成される一対の第一骨部６ａ，６ｂと、を備える。本体部７の下端部４４は、円弧状に形成される。鼻の形に合わせて連結バー９を湾曲させる前は、本体部７と連結部４ａ，４ｂは実質的に同一平面に配置される。
【００６０】
図１２は、マスク補助具４２の使用状態を示す。この図１２では、マスク１の膨らみをわかり易くするために、マスク１の一部を切り欠いている。
【００６１】
マスク補助具４２を使用するとき、まず利用者は、図１１（ａ）に示すように、折り返し部３ａ２，３ｂ２と連結部４ａ，４ｂとの間にマスク１を入れ、これらの間でマスク１を挟むようにする。次に利用者は、図１２に示すように、マスク１を装着し、鼻の形に合わせてマスク１のノーズフィット１ｄ（図１１（ａ）参照）と連結バー９を曲げる。すると、マスク補助具４２の連結部４ａ，４ｂと本体部７が連結バー９の湾曲に合わせて湾曲し、連結部４ａ，４ｂと本体部７が鼻の角度と略同一の角度で前方に突出する。このため、マスク１が膨らむ。マスク補助具４２の連結部４ａ，４ｂと本体部７は、利用者の顔にほぼ触れないので、利用者が違和感を感ずることもない。
【００６２】
マスク補助具４２をマスク１から取り外すときは、折り返し部３ａ２，３ｂ２とマスク１との間に薄板を挟めばよい。こうすることで、折り返し部３ａ２，３ｂ２をマスク１とは反対側に撓ませることができ、マスク補助具４２を取り外すことができる。
【００６３】
以上に本発明の第７の実施形態のマスク補助具４２の構成を説明した。第７の実施形態のマスク補助具４２によれば、以下の効果を奏する。
【００６４】
第一骨部６ａ，６ｂによってマスク１の下部中央部を効果的に膨らませることができ、マスク１と口との空間を広げることができる。
【００６５】
第二骨部５ａ，５ｂと第一骨部６ａ，６ｂによって略菱形状の本体部７が形成されるので、マスク１と口との空間を上下左右に確保することができる。
【００６６】
本体部７の下端部４４が円弧状を形成するので、マスク１をきれいに膨らませることができると共に、マスク１と口との空間を上下左右により確保することができる。
【００６７】
一対の連結部４ａ，４ｂの間隔が下方に向かって狭まっているので、鼻の形に合わせて連結バー９を曲げたとき、一対の連結部４ａ，４ｂを略平行に保つことができる。
【００６８】
クリップ部３ａ，３ｂに折り返し部３ａ２，３ｂ２を設けたので、クリップ部３ａ，３ｂに取り外すような力が働いても、折り返し部３ａ２，３ｂ２がマスク１に引っ掛かり、マスク１からクリップ部３ａ，３ｂが外れるのを防止できる。
【００６９】
折り返し部３ａ２，３ｂ２の先端に複数の突部４３を形成したので、マスク１からクリップ部３ａ，３ｂが外れるのをより防止できる。
【００７０】
クリップ部３ａ，３ｂを連結バー９で連結するので、クリップ部３ａ，３ｂが左右方向にずれるのを防止できる。
【符号の説明】
【００７１】
１…マスク
２，８，１２，１４，２２，３２，４２…マスク補助具
３ａ，３ｂ…クリップ部（係止部）
３ａ１，３ｂ１…クリップ部本体（係止部本体）
３ａ２，３ｂ２…折り返し部
４，４ａ，４ｂ…連結部
５ａ，５ｂ…第二骨部
６ａ，６ｂ…第一骨部
７…本体部
９…連結バー
４３…折り返し部先端の突部
４４…本体部の下端部
【図１】
2022003184.tif 000003
【図２】
2022003184.tif 000004
【図３】
2022003184.tif 000005
【図４】
2022003184.tif 000006
【図５】
2022003184.tif 000007
【図６】
2022003184.tif 000008
【図７】
2022003184.tif 000009
【図８】
2022003184.tif 000010
【図９】
2022003184.tif 000011
【図１０】
2022003184.tif 000012
【図１１】
2022003184.tif 000013
【図１２】
2022003184.tif 000014